(57)【要約】【課題】  盤形状の食品を切り分ける食品切り取り装置において、切り分け作業者が食品で手を汚してしまうことなく、食品を正確に所望の大きさの綺麗な扇形へと効率的に切り分けることができる食品切り取り装置を提供する。【解決手段】  ピザ切り取り器１は、トレイ部２と、刃部３と、ハンドル部４とを備える。刃部３に備えられた一対の切断刃２１Ａ、２１Ｂは、互いの間の角度を変更可能に先端部２６において連結されている。トレイ部２には、ピザの等分角度に応じて切断刃２１Ａ、２１Ｂの配置されるべき位置に、切断刃２１Ａ、２１Ｂの刃先が入り込み得る溝１１が形成される。刃部３は、ハンドル部４に隣接した操作レバー３１の操作により、トレイ部２から持ち上げられた開位置へと動かすことができる。【選択図】      図１
2018122418.tif 000002
【特許請求の範囲】
【請求項１】
食品を切り分けるための食品切り取り装置において、
前記食品が配置されるトレイ部と、
前記トレイ部の上で食品を切断するための一対の切断刃を有する刃部とを備え、
前記一対の切断刃は、前記トレイ部の上で互いの間に形成される角度を変更可能であるように、一端において連結されている食品切り取り装置。
【請求項２】
前記トレイ部は、前記一対の切断刃が配置されるべき位置を示す目盛りを備えている請求項１に記載の食品切り取り装置。
【請求項３】
前記トレイ部は、前記切断刃の刃先が入り込めるように前記目盛りに沿って形成された溝を備えている請求項２に記載の食品切り取り装置。
【請求項４】
前記トレイ部に取り付けられたハンドル部を備えた請求項１から請求項３のいずれか１項に記載の食品切り取り装置。
【請求項５】
前記刃部は、前記トレイ部の上に配置された閉位置と、前記トレイ部と間隔をもって配置された開位置の間で移動可能であり、前記刃部は、前記ハンドル部に隣接して配置された操作レバーによって前記閉位置と前記開位置の間で動かすことができるようになっている請求項１から請求項４のいずれか１項に記載の食品切り取り装置。
【発明の詳細な説明】
【技術分野】
【０００１】
本発明は、ピザやパイ等の円盤形状の食品を、適切に分割して切り取るための食品切り取り装置に関する。
【背景技術】
【０００２】
ピザやパイなどの円盤形状の食品は、円盤の中心から円周にかけて半径方向の切り込みを入れることにより、扇形の部分に切り分けられることが多い。このような切り分けは、包丁やナイフ等の切断具や、ピザカッター等の切り分け装置を用いることにより行われていた。例えば、例えば、特許文献１には、円形のピザパイを希望する人数分に分割するためのピザパイ給仕具が開示されている。
【先行技術文献】
【特許文献】
【０００３】
【特許文献１】特開平１１−８９６９０
【発明の概要】
【発明が解決しようとする課題】
【０００４】
しかしながら、このような従来の切り分け方法や切り分け装置では、切り分け作業者が食品で手を汚さずに作業をすることが難しく、また食品を正確に所望の大きさの綺麗な扇形へと分割することも難しかった。
【０００５】
本発明は、このような問題点に着目してなされたもので、円盤形状の食品を切り分ける食品切り取り装置において、切り分け作業者が食品で手を汚してしまうことなく、食品を正確に所望の大きさの綺麗な扇形へと効率的に切り分けることができる食品切り取り装置を提供することを目的とする。
【課題を解決するための手段】
【０００６】
本発明は、食品を切り分けるための食品切り取り装置において、前記食品が配置されるトレイ部と、前記トレイ部の上で食品を切断するための一対の切断刃を有する刃部とを備え、前記一対の切断刃は、前記トレイ部の上で互いの間に形成される角度を変更可能であるように、一端において連結されている。
【０００７】
前記トレイ部は、前記一対の切断刃が配置されるべき位置を示す目盛りを備えてもよい。
【０００８】
前記トレイ部は、前記切断刃の刃先が入り込めるように前記目盛りに沿って形成された溝を備えてもよい。
【０００９】
前記トレイ部に取り付けられたハンドル部を備えてもよい。
【００１０】
前記刃部は、前記トレイ部の上に配置された閉位置と、前記トレイ部と間隔をもって配置された開位置の間で移動可能であり、前記刃部は、前記ハンドル部に隣接して配置された操作レバーによって前記閉位置と前記開位置の間で動かすことができるようになっていてもよい。
【発明の効果】
【００１１】
本発明によれば、食品切り取り装置（例えば食品切り取り器１）は、トレイ部（例えばトレイ部２）の上で食品を切断するための刃部（例えば刃部３）の一対の切断刃（例えば切断刃２５Ａ、２５Ｂ）が、トレイ部の上で互いの間に形成される角度を変更可能であるように、一端（例えば先端部２６）において連結されているので、切断刃の間の角度を適切に調整することにより、食品（例えばピザ）を正確に所望の大きさの扇形の食品片に切り分けることができる。また、一対の切断刃により、食品片の両辺を同時に切断できるので、切り取り作業は効率化できる。また、切断刃は一端において連結され、綺麗な頂点を形成しているので、食品片の扇形の頂点部分においても、綺麗な切り分けを行うことができる。
【００１２】
また、トレイ部に切断刃が配置されるべき位置を示す目盛り（例えば溝１１Ａ、１１Ｂ、１１Ｃ）を備えれば、例えば食品を何等分するかに応じて、切断刃を適切な位置に容易に配置することができる。
【００１３】
また、目盛りに沿って形成された溝（例えば溝１１Ａ、１１Ｂ、１１Ｃ）に切断刃の刃先が入り込めるようにすれば、切断刃によって食品を裏側まで完全に切り取ることができる。
【００１４】
また、トレイ部に取り付けられたハンドル部（例えばハンドル部４）を備えれば、トレイ部上に切り取られた食品片を、そのまま運搬することができる。
【００１５】
また、刃部を閉位置と開位置の間で移動可能とし、ハンドル部に隣接して配置された操作レバー（例えば操作レバー３１）で刃部の開閉を操作し得るようにすれば、使用者は、食品に手を触れて手を汚してしまうことなく、効率的な切り分け作業を行うことができる。また、ハンドルを片手で持ちながら、ハンドルを持った手で操作レバーを操作できるので、切り分けから運搬作業までを片手で行うことができる。
【図面の簡単な説明】
【００１６】
【図１】本発明の実施形態におけるピザ切り取り器の全体構成を示す斜視図であり、刃部が閉位置にある状態を示す。
【図２】同じくピザ切り取り器の全体構成を示す斜視図であり、刃部が開位置にある状態を示す。
【図３】同じくピザ切り取り器を示す側面図であり、刃部が閉位置にある状態を示す。
【図４】同じくピザ切り取り器を示す側面図であり、刃部が開位置にある状態を示す。
【図５】同じくトレイ部を示す平面図である。
【図６】同じくピザ切り取り器を示す平面図であり、刃部が８等分ポジションにある状態を示す。
【図７】同じくピザ切り取り器を示す平面図であり、刃部が１０等分ポジションにある状態を示す。
【図８】同じくピザ切り取り器を示す平面図であり、刃部が１２等分ポジションにある状態を示す。
【発明を実施するための形態】
【００１７】
以下、添付図面に基づいて本発明の実施形態について説明する。
図１から図４には、本発明の実施形態におけるピザ切り取り器１の全体構成を示す。図示されるように、ピザ切り取り器１は、トレイ部２と、刃部３と、ハンドル部４とを備えている。
【００１８】
図５にも示すように、トレイ部２は、略扇形の板部材であり、ピザ切り取り器１の底部を構成している。トレイ部２の表面には、複数の溝１１が設けられている。溝１１は、トレイ部２の先端部側（扇形の頂点側）から放射方向に延びており、後述する刃部３の切断刃２１Ａ、２１Ｂをセットするための目盛りとなっているとともに、ピザの切断時には切断刃２１Ａ、２１Ｂの刃先が嵌合し得るようになっている。
【００１９】
本実施形態において、溝１１として、円盤状のピザを８等分するとき（図６参照）に切断刃２１Ａ、２１Ｂを合わせる溝１１Ａ、ピザを１０等分するとき（図７参照）に切断刃２１Ａ、２１Ｂを合わせる溝１１Ｂ、ピザを１２等分するとき（図８参照）に切断刃２１Ａ、２１Ｂを合わせる溝１１Ｃが設けられている。
【００２０】
また、トレイ部２には、溝１１に対して横方向（扇形の円周方向）に延びる複数の円弧状の目盛り１２が設けられている。目盛り１２は、トレイ部２上にピザを配置するときに、ピザの大きさに応じてピザの外周部分を位置決めするための目盛りとなっている。
【００２１】
トレイ部２の先端付近の両側には、略扇形の延長部１３が設けられており、これらの延長部１３には、複数の補助目盛り１４が設けられている。本実施形態においては、補助目盛り１４として、ピザを８等分するときにピザの切断辺を合わせる溝１４Ａ、ピザを１０等分するときにピザの切断辺を合わせる溝１４Ｂ、ピザを１２等分するときにピザの切断辺を合わせる溝１４Ｃが設けられている。
【００２２】
トレイ部２の基端の両側には、一対の支持部１５が設けられており、これら支持部１５の間に、水平方向に延びるネジ軸１６が回動可能に支持されている。ネジ軸１６の長手方向中央部には、歯車状の等分角度調整ダイヤル１７が固定されている。なお、トレイ部２の基端縁付近には、ハンドル取り付け部１８が設けられており、ネジ軸１６が、ハンドル取り付け部１８内部を貫通している一方で、等分角度調整ダイヤル１７は、ハンドル取り付け部１８の外側に露出して操作可能となっている。
【００２３】
刃部３は、略長方形板状の一対の切断刃２１Ａ、２１Ｂを備えている。各切断刃２１Ａ、２１Ｂは、上側の刃保持部２２Ａ、２２Ｂと、刃先をトレイ部２側に向けて各刃保持部２２Ａ、２２Ｂに取り付けられた刃本体２３Ａ、２３Ｂとから構成されている。刃保持部２２Ａ、２２Ｂの先端は、ヒンジ２４で連結されており、切断刃２１Ａ、２１Ｂは、ヒンジ２４（先端部２６）の周りで互いに回動して、互いの間の角度を変更可能となっている。
【００２４】
また、刃保持部２２Ａ、２２Ｂの基端側には、それぞれネジ連結部２５Ａ、２５Ｂが、左右に屈曲可能に結合されている。ネジ連結部２５Ａ、２５Ｂは、それぞれネジ軸１６上に配置された保持部１９Ａ、１９Ｂによって保持されている。ネジ軸１６は、ネジ連結部２５Ａ、２５Ｂ及び保持部１９Ａ、１９Ｂを貫通して延びており、ネジ連結部２５Ａ、２５Ｂに形成されたネジ穴（図示せず）に螺合している。これにより、ピザ切り取り器１の使用者が等分角度調整ダイヤル１７を操作してネジ軸１６を回転させると、ネジ連結部２５Ａ、２５Ｂがネジ軸１６上を移動し、切断刃２１Ａ、２１Ｂの間の角度が変更されるようになっている。この場合、切断刃２１Ａ、２１Ｂは、ネジ軸１６の回転によって、互いに反対向きに（つまり、互いに間隔を狭める方向又は広げる方向に）動くようになっている。
【００２５】
また、ネジ軸１６及びネジ連結部２５Ａ、２５Ｂは、保持部１９Ａ、１９Ｂに対して、ネジ軸１６の軸周りで回動可能となっている。これにより、刃部３は、図１及び図１に示す閉位置（切断刃２１Ａ、２１Ｂがトレイ部２と略平行に配置され、刃本体２３Ａ、２３Ｂがトレイ部２上に配置された位置）と、図２及び図４に示す開位置（先端部２６側が上方に持ち上がった位置）とを取り得るようになっており、開位置においては、切断刃２１Ａ、２１Ｂの下方のトレイ部２上に、ピザが挿入される空間が形成され得るようになっている。なお、刃部３の先端部２６の上側には、ピザを切断する際に、刃部３を下方に押し込むための押圧部２７が設けられている。
【００２６】
ハンドル部４は、ハンドル取り付け部１８に取り付けられ、トレイ部２及び刃部３と反対側に延び出している。これにより、ピザ切り取り器１の使用者は、ハンドル部４を持ってピザ切り取り器１を運搬できるようになっている。
【００２７】
ハンドル部４の下側には、操作レバー３１が設けられており、使用者が指で操作レバー３１をハンドル部４側に引き上げる操作を行い得るようになっている。操作レバー３１は、刃部３のネジ軸１６周りの回動動作と連係しており、操作レバー３１を引き上げる操作を行うことにより、刃部３を、図１及び図３に示す閉位置から、図２及び図４に示す開位置へと回動させることができるようになっている。
【００２８】
次に、本実施形態のピザ切り取り器１の使用方法について説明する。
ピザ切り取り器１で円盤状のピザを切り分けるときには、等分角度調整ダイヤル１７を操作することにより、ピザを何等分したいかに応じて、刃部３の切断刃２１Ａ、２１Ｂ間の角度を調整する。具体的に、ピザを８等分したい場合には、切断刃２１Ａ、２１Ｂを、図６に示すような８等分ポジションに配置する。また、ピザを１０等分したい場合には、切断刃２１Ａ、２１Ｂを、図７に示すような１０等分ポジションに配置する。また、ピザを１２等分したい場合には、切断刃２１Ａ、２１Ｂを、図８に示すような１２等分ポジションに配置する
【００２９】
続いて、ハンドル部４を持ち、操作レバー３１を操作して刃部３を開位置とした状態で、トレイ部２の上にピザの一部が配置されるように、ピザの下側にトレイ部２を滑り込ませる。この場合、ピザの大きさ（直径）に応じて、適切な目盛り１２上にピザの外周縁を位置決めすることにより、ピザを適切な位置に配置することができる。
【００３０】
このようにトレイ部２上の適切な位置にピザを配置したら、操作レバー３１から指を離す。これにより、刃部３が自重で閉位置に向けて回動して行くので、切断刃２１Ａ、２１Ｂの刃本体２３Ａ、２３Ｂが、ピザの切断すべき位置の上に落下して、ピザが切断される。さらに、この状態から刃部３の先端の押圧部２７を下方に押しこむことにより、刃本体２３Ａ、２３Ｂの刃先が溝１１内に入り込むまで移動し、ピザが裏側まで完全に切断される。
【００３１】
このようにして、必要な角度の扇形に等分されたピザが、切断刃２１Ａ、２１Ｂの間に切り分けられるので、ハンドル部４を持ってピザ切り取り器１を持ち上げると、切り分けられたピザ片を、そのまま、取り分け先（例えば皿）まで運搬することができる。また、運搬後には、ピザ切り取り器１を傾けることにより、ピザ片を取り分け先の上に盛り付けることができる。
【００３２】
続いて、ピザの切断を続けるときには、前回の作業で生じたピザの切断端が補助目盛り１４上に配置されるように、ピザをトレイ部２上に配置し、上述した通りの切り取り作業を繰り返す。これにより、前回の作業で切り取られた扇形のピザ片から、１つおいて隣のピザ片が切り取られる。この場合、前回切り取られたピザ片と、今回切り取られたピザ片の間に、同じ大きさの扇形のピザ片が自動的に切り取られることになる。
【００３３】
このように、本実施形態のピザ切り取り器１によれば、ピザに手を触れることなく、ピザを所望の大きさの扇形に正確に切り分けることができるので、ピザの切り分け作業を効率化できる。
【００３４】
なお、上記実施形態においては、ピザ切り取り器１を例にとって説明したが、本願発明は、このような形態に限られるものではなく、ピザ以外でも、パイ等の円盤状の食品の切り取りに広く利用できる。
【符号の説明】
【００３５】
１  ピザ切り取り器
２  トレイ部
３  刃部
４  ハンドル部
１１、１１Ａ、１１Ｂ、１１Ｃ  溝
１２  メモリ
１３  延長部
１４、１４Ａ、１４Ｂ、１４Ｃ  補助目盛り
１５  支持部
１６  ネジ軸
１７  等分角度調整ダイヤル
１８  ハンドル取り付け部
１９Ａ、１９Ｂ  保持部
２１Ａ、２１Ｂ  切断刃
２２Ａ、２２Ｂ  刃保持部
２３Ａ、２３Ｂ  刃本体
２４  ヒンジ
２５Ａ、２５Ｂ  ネジ連結部
２６  先端部
２７  押圧部
３１  操作レバー
【図１】
2018122418.tif 000003
【図２】
2018122418.tif 000004
【図３】
2018122418.tif 000005
【図４】
2018122418.tif 000006
【図５】
2018122418.tif 000007
【図６】
2018122418.tif 000008
【図７】
2018122418.tif 000009
【図８】
2018122418.tif 000010